(57)【要約】【課題】作業に習熟していない作業者であっても、容易に似顔絵データを作成することが可能な似顔絵データ作成方法、似顔絵データ作成装置、プログラムおよびコンピューター読み取り可能な記録媒体を提供する。【解決手段】複数のパーツより構成され、人物の顔を表すカッティングデータたる似顔絵データを作成する似顔絵データ作成方法であって、パーツが選択されると、選択されたパーツを特定して、特定したパーツの形状を示すとともにカッティングされることを考慮した形状であるパーツデータを複数表示する表示工程と、上記表示工程で表示したパーツデータが選択されると、選択されたパーツデータを特定して、特定したパーツデータを所定の配置位置に配置して似顔絵データを作成する作成工程とを有するようにしたものである。【選択図】        図４
2014083599.tif 000002
【特許請求の範囲】
【請求項１】
複数のパーツより構成され、人物の顔を表すカッティングデータたる似顔絵データを作成する似顔絵データ作成方法であって、
パーツが選択されると、選択されたパーツを特定して、特定したパーツの形状を示すとともにカッティングされることを考慮した形状であるパーツデータを複数表示する表示工程と、
前記表示工程で表示したパーツデータが選択されると、選択されたパーツデータを特定して、特定したパーツデータを所定の配置位置に配置して似顔絵データを作成する作成工程と
を有することを特徴とする似顔絵データ作成方法。
【請求項２】
請求項１に記載の似顔絵データ作成方法において、さらに、
前記作成工程で作成された似顔絵データを画像データとして保存する保存工程と
を有することを特徴とする似顔絵データ作成方法。
【請求項３】
複数のパーツより構成され、人物の顔を表すカッティングデータたる似顔絵データを作成する似顔絵データ作成装置であって、
似顔絵データを構成する複数のパーツをそれぞれ選択することができるとともに、前記パーツのそれぞれの形状を示し、カッティングされることを考慮した形状である複数のパーツデータをそれぞれ選択することができる表示手段と、
前記表示手段においてパーツが選択されると、選択されたパーツを特定して、特定したパーツの複数のパーツデータを前記表示手段に表示するパーツデータ表示手段と、
前記パーツデータ表示手段により表示されたパーツデータが選択されると、選択されたパーツデータを特定して、特定したパーツデータを所定の配置位置に配置して似顔絵データを作成する作成手段と
を有することを特徴とする似顔絵データ作成装置。
【請求項４】
請求項３に記載の似顔絵データ作成装置において、さらに、
前記作成手段において作成された似顔絵データを画像データとして保存する保存手段と
を有することを特徴とする似顔絵データ作成装置。
【請求項５】
請求項１または２のいずれか１項に記載の似顔絵データ作成方法をコンピューターに実行させるためのプログラム。
【請求項６】
請求項３または４のいずれか１項に記載の似顔絵データ作成装置としてコンピューターを機能させるためのプログラム。
【請求項７】
請求項５または６のいずれか１項に記載のプログラムを記録したコンピューター読み取り可能な記録媒体。
【請求項８】
カッティングデータに基づいてシート材のカッティングを行うカッティング装置において、
タッチパネルを備え、作業者が前記タッチパネルに触れることにより、前記タッチパネルに表示された選択項目を選択することが可能であり、請求項１または２のいずれか１項に記載の似顔絵データ作成方法により似顔絵データを作成するとともに、作成した似顔絵データを出力する携帯端末と、
データ受信手段を備え、前記携帯端末から出力される似顔絵データを受信し、受信した似顔絵データに基づいてシート材をカッティングするカッティング手段と
を有することを特徴とするカッティング装置。
【発明の詳細な説明】
【技術分野】
【０００１】
本発明は、似顔絵データ作成方法、似顔絵データ作成装置、プログラムおよびコンピューター読み取り可能な記録媒体ならびにカッティング装置に関し、さらに詳細には、人物の顔を現すカッティングデータたる似顔絵データを作成する似顔絵データ作成方法、似顔絵データ作成装置、プログラムおよびコンピューター読み取り可能な記録媒体ならびに当該作成方法により作成したカッティングデータを利用してカッティングを行うカッティング装置に関する。
【背景技術】
【０００２】
従来より、マイクロコンピューターの制御によって作動され、塩化ビニル製のマーキングフィルムのようなシート材を、カッティングデータに基づいて、所定の図形、文字あるいは記号などの形状にカッティングするための装置として、カッティングプロッタが知られている。
【０００３】
こうしたカッティングプロッタとしては、基台上にシート材を固定的に載置する、所謂、フラットベッド型のカッティングプロッタと、基台に対してシート材を移動可能に載置する、所謂、ペーパームーブ型のカッティングプロッタとの２種類が知られている。
【０００４】
カッティングプロッタとしては、上記した２種類のものが知られているが、いずれのタイプのカッティングプロッタであっても、カッティングプロッタとは別体に設けられたホストコンピューターから出力されるカッティングデータに基づき、カッターをシート材に対して相対的にＸＹＺ直交座標系のＺ軸方向に移動させるとともに、カッターをシート材に対して相対的にＸ方向およびＹ方向に移動させることにより、ホストコンピューターから出力されるカッティングデータによって指示される形状にシート材をカッティングするものである。
【０００５】
なお、カッティングデータは、例えば、カッターのアップデータ、ダウンデータならびにカッティング方向およびカッティング長さを示すベクタデータであり、カッティングを開始する前にホストコンピューターにおいて作成されるものである。
【０００６】
つまり、カッティング開始時には、ホストコンピューターから出力されるベクタデータに基づきカッティングすべき形状の始点となるシート材上の所定の位置にカッターを位置決めし、その後にホストコンピューターから出力されるダウンデータに基づきカッターをシート材上に下降する。
【０００７】
そして、ホストコンピューターから出力されるベクタデータに基づき、カッターを移動させてシートのカッティングを行う。
【０００８】
次に、ホストコンピューターから出力されるアップデータを読み出した際には、当該アップデータの直前のベクタデータによるカッティングの終点においてカッターを上昇するものである。
【０００９】
このような処理により、ホストコンピューターから出力されるカッティングデータによって所定の形状にシート材がカッティングされることとなる。
【００１０】
ここで、こうしたカッティングプロッタにより、人物の顔の形状にシート材をカッティングしようとすると、人物の顔を表す似顔絵のカッティングデータたる似顔絵データを作成する必要がある。
【００１１】
こうした似顔絵データは、パーソナルコンピューターにより作成するものであるが、作成する際には、作業者は、専用のソフトウェアを利用して、シート材がカッティングされることを考慮した形状としなければならなかった。
【００１２】
具体的には、例えば、作業者が、目、口、輪郭、髪型などの各パーツを作成する際に、屈曲部分の角をＲ形状としたり、細かすぎる形状とならないようにするなどの配慮が必要であった。
【００１３】
このように、似顔絵データの作成にはスキルが必要であるため、作業に習熟していない作業者にとっては、似顔絵データを容易に作成することができないものであった。
【００１４】
このため、作業に習熟していない作業者であっても、カッティング装置によりシート材をカッティングするための似顔絵データを容易に作成することが可能な似顔絵データの作成方法および作成装置の提案が望まれていた。
【００１５】
また、こうした似顔絵データを作成する場合には、パーソナルコンピューターなどにより作成し、作成した似顔絵データをカッティングプロッタに出力するようにしていた。
【００１６】
従って、例えば、簡単な似顔絵データや簡単な形状を表すデータであっても、こうしたデータを作成する際には、パーソナルコンピューターを用意しなければならず、こうしたデータの作成作業が面倒なものとなっていた。
【００１７】
このため、容易に似顔絵データを作成することができるとともに、似顔絵データや形状を表すデータなどを、例えば、高機能（多機能）携帯電話、所謂、スマートフォンやタブレット型コンピューターなどといった携帯端末を利用して作成することで、より手軽に作成し、作成したデータに基づいてカッティングを行うことができるカッティング装置の提案が望まれていた。
【００１８】
なお、本願出願人が特許出願のときに知っている先行技術は、文献公知発明に係る発明ではないため、本願明細書に記載すべき先行技術文献情報はない。
【発明の概要】
【発明が解決しようとする課題】
【００１９】
本発明は、従来の技術の有する上記したような要望に鑑みてなされたものであり、その目的とするところは、作業に習熟していない作業者であっても、容易に似顔絵データを作成することが可能な似顔絵データ作成方法、似顔絵データ作成装置、プログラムおよびコンピューター読み取り可能な記録媒体を提供しようとするものである。
【００２０】
また、本発明の目的とするところは、上記した似顔絵データの作成方法により、手軽に似顔絵データを作成して利用することができるカッティング装置を提供しようとするものである。
【課題を解決するための手段】
【００２１】
上記目的を達成するために、本発明による似顔絵データ作成方法は、複数のパーツより構成され、人物の顔を表すカッティングデータたる似顔絵データを作成する似顔絵データ作成方法であって、パーツが選択されると、選択されたパーツを特定して、特定したパーツの形状を示すとともにカッティングされることを考慮した形状であるパーツデータを複数表示する表示工程と、上記表示工程で表示したパーツデータが選択されると、選択されたパーツデータを特定して、特定したパーツデータを所定の配置位置に配置して似顔絵データを作成する作成工程とを有するようにしたものである。
【００２２】
また、本発明による似顔絵データ作成方法は、さらに、上記作成工程で作成された似顔絵データを画像データとして保存する保存工程とを有するようにしたものである。
【００２３】
また、本発明による似顔絵データ作成装置は、複数のパーツより構成され、人物の顔を表すカッティングデータたる似顔絵データを作成する似顔絵データ作成装置であって、似顔絵データを構成する複数のパーツをそれぞれ選択することができるとともに、上記パーツのそれぞれの形状を示し、カッティングされることを考慮した形状である複数のパーツデータをそれぞれ選択することができる表示手段と、上記表示手段においてパーツが選択されると、選択されたパーツを特定して、特定したパーツの複数のパーツデータを上記表示手段に表示するパーツデータ表示手段と、上記パーツデータ表示手段により表示されたパーツデータが選択されると、選択されたパーツデータを特定して、特定したパーツデータを所定の配置位置に配置して似顔絵データを作成する作成手段とを有するようにしたものである。
【００２４】
また、本発明による似顔絵データ作成装置は、さらに、上記作成手段において作成された似顔絵データを画像データとして保存する保存手段とを有するようにしたものである。
【００２５】
また、本発明によるプログラムは、上記した似顔絵データ作成方法をコンピューターに実行させるためのプログラムである。
【００２６】
また、本発明によるプログラムは、上記した似顔絵データ作成装置としてコンピューターを機能させるためのプログラムである。
【００２７】
また、本発明によるコンピューター読み取り可能な記録媒体は、上記したプログラムを記録したコンピューター読み取り可能な記録媒体である。
【００２８】
また、本発明によるカッティング装置は、カッティングデータに基づいてシート材のカッティングを行うカッティング装置において、タッチパネルを備え、作業者が上記タッチパネルに触れることにより、上記タッチパネルに表示された選択項目を選択することが可能であり、上記した似顔絵データ作成方法により似顔絵データを作成するとともに、作成した似顔絵データを出力する携帯端末と、データ受信手段を備え、上記携帯端末から出力される似顔絵データを受信し、受信した似顔絵データに基づいてシート材をカッティングするカッティング手段とを有するようにしたものである。
【発明の効果】
【００２９】
本発明は、以上説明したように構成されているので、作業に習熟していない作業者であっても、容易に似顔絵データを作成することができるという優れた効果を奏する。
【００３０】
また、本発明は、以上説明したように構成されているので、手軽に似顔絵データを作成して利用することができるという優れた効果を奏するものである。
【図面の簡単な説明】
【００３１】
【図１】図１は、本発明によるカッティング装置の概略構成説明図である。
【図２】図２は、携帯端末のハードウェア構成を示すブロック構成説明図である。
【図３】図３は、本発明によるカッティング装置におけるカッティングデータ作成処理の詳細な処理内容を示すフローチャートである。
【図４】図４は、似顔絵データ作成処理の詳細な処理内容を示すフローチャートである。
【図５】図５（ａ）は、カッティングデータ作成処理におけるタッチパネルに表示される初期画面を示す説明図であり、また、図５（ｂ）は、タッチパネルに表示される似顔絵データ作成画面を示す説明図である。
【図６】図６（ａ）は、似顔絵データを構成する輪郭のパーツが選択され、輪郭のパーツの形状が表示された状態の似顔絵データ作成画面を示す説明図であり、また、図６（ｂ）は、図６（ａ）において表示されたパーツの形状が選択され、似顔絵データとして輪郭のパーツの形状が表示された状態の似顔絵データ作成画面を示す説明図である。
【図７】図７（ａ）は、似顔絵データとして輪郭のパーツの形状が表示されるとともに、似顔絵データを構成する目のパーツが選択され、目のパーツの形状が表示された状態の似顔絵データ作成画面を示す説明図であり、また、図７（ｂ）は、図７（ａ）において表示されたパーツの形状が選択され、似顔絵データとして輪郭および目のパーツの形状が表示された状態の似顔絵データ作成画面を示す説明図である。
【図８】図８（ａ）は、似顔絵データとして輪郭および目のパーツの形状が表示されるとともに、似顔絵データを構成する口のパーツが選択され、口のパーツの形状が表示された状態の似顔絵データ作成画面を示す説明図であり、また、図８（ｂ）は、図８（ｂ）において表示されたパーツの形状が選択され、似顔絵データとして輪郭、目および口のパーツの形状が表示された状態の似顔絵データ作成画面を示す説明図である。
【図９】図９（ａ）は、似顔絵データとして輪郭、目および口のパーツの形状が表示されるとともに、似顔絵データを構成する髪型のパーツが選択され、髪型のパーツの形状が表示された状態の似顔絵データ作成画面を示す説明図であり、また、図９（ｂ）は、図９（ａ）において表示されたパーツの形状が選択され、似顔絵データとして輪郭、目、口および髪型のパーツの形状が表示された状態の似顔絵データ作成画面を示す説明図である。
【図１０】図１０（ａ）は、似顔絵データとして輪郭、目、口および髪型のパーツ形状が表示されるとともに、似顔絵データを構成するボディのパーツが選択され、ボディのパーツの形状が表示された状態の似顔絵データ作成画面を示す説明図であり、また、図１０（ｂ）は、図１０（ａ）において表示されたパーツの形状が選択され、似顔絵データとして輪郭、目、口、髪型およびボディのパーツの形状が表示された状態の似顔絵データ作成画面を示す説明図である。
【発明を実施するための形態】
【００３２】
以下、添付の図面を参照しながら、本発明による似顔絵データ作成方法、カッティングデータ作成装置、プログラムおよびコンピューター読み取り可能な記録媒体ならびにカッティング装置の実施の形態の一例を詳細に説明するものとする。
【００３３】
ここで、図１には、本発明によるカッティング装置の概略構成説明図が示されている。
【００３４】
このカッティング装置１０は、人物の顔を表すカッティングデータたる似顔絵データを作成する携帯端末２０と、携帯端末２０で作成した似顔絵データを受信するためのデータ受信部１２を備えたカッティングプロッタ１４とを備えている。
【００３５】
なお、カッティングプロッタ１４の構成については、従来より公知のカッティングプロッタと同様の構成となっているため、その詳細な説明は省略することとする。
【００３６】
ここで、図２を参照しながら、携帯端末２０のハードウェア構成について説明する。
【００３７】
また、携帯端末２０は、その動作を中央処理装置（ＣＰＵ）２２を用いて制御するように構成されている。
【００３８】
そして、このＣＰＵ２２には、バス２４を介して、ＣＰＵの制御のためのプログラムや各種データなどを記憶するリードオンリメモリ（ＲＯＭ）やＣＰＵ２２のためのワーキングエリアとして用いられる記憶領域などを備えたランダムアクセスメモリ（ＲＡＭ）などから構成される記憶部２６が接続されている（図２を参照する。）。
【００３９】
また、この携帯端末２０においては、ＣＰＵ２２の制御により生成された各種データを外部の各種機器に出力する出力部２８と、外部からネットワークなどを介して各種プログラムや各種データを入力する入力部３０と、ＣＰＵ２２の制御に基づいて各種表示を行うとともに、表示された内容を選択することが可能なタッチパネル３２とを有して構成されている。
【００４０】
なお、この携帯端末２０としては、例えば、高機能（多機能）携帯電話、所謂、スマートフォンやタブレット型コンピューターなどを用いることができる。
【００４１】
また、以下の説明においては、携帯端末２０による人物の顔を表すカッティングデータたる似顔絵データ（以下。「人物の顔を表すカッティングデータたる似顔絵データ」を、単に、「似顔絵データ」と適宜に称することとする。）の作成処理の理解を容易にするために、外部から入力部３０を介して記憶部２６に似顔絵データを含むカッティングデータ作成処理を実行するためのプログラムや当該カッティングデータ作成処理に用いる各種データが予め記憶されているものとする。
【００４２】
以上の構成において、カッティング装置１０により人物の顔の形状にカッティングされた成果物を取得するには、カッティングプロッタ１４の電源が起動された状態で、携帯端末２０においてタッチパネル３２を操作して、カッティングデータ作成処理を起動する。
【００４３】
具体的には、携帯端末２０においては、予めカッティングデータを作成するためのプログラムが入力されており、こうして入力されたプログラムは、アプリケーションソフトとして記憶され、タッチパネル３２上に当該アプリケーションソフトとしてのアイコンが表示されている。そして、似顔絵データを作成するにあたって、作業者がこうして表示されたアイコンを指などで触れることにより、カッティングデータを作成するためのソフトが起動され、カッティングデータ作成処理が起動されることとなる。また、このとき、携帯端末２０は、カッティングプロッタ１４をサーチして、作成したカッティングデータの出力先をカッティングプロッタ１４に決定する。
【００４４】
カッティングデータ作成処理が起動すると、タッチパネル３２において初期画面１００を表示する（ステップＳ３０２）。
【００４５】
この初期画面１００には、「新しく作る」、「保存データから作る」および「似顔絵作成」の項目が表示され、各項目を選択することが可能となっている（図５（ａ）を参照する。）。
【００４６】
初期画面１００を表示すると、「新しく作る」、「保存データから作る」、「似顔絵作成」のうちの「似顔絵作成」が選択されたか否かの判断を行う（ステップＳ３０４）。
【００４７】
ステップＳ３０４の判断処理において、「新しく作る」あるいは「保存データから作る」を選択したと判断された場合には、似顔絵データ以外の文字、記号、図形などのカッティングデータを作成する（ステップＳ３０６）。なお、こうした似顔絵データ以外の文字、記号、図形などのカッティングデータの作成については、公知の技術を用いることができるため、その詳細な説明は省略することとする。
【００４８】
そして、文字、記号、図形などのカッティングデータを作成すると、作成したカッティングデータをカッティングプロッタ１４に出力する（ステップＳ３１６）。
【００４９】
一方、ステップＳ３０４の判断処理において、「似顔絵作成」を選択したと判断された場合には、似顔絵データ作成処理を開始する（ステップＳ３０８）。
【００５０】
ここで、図４のフローチャートには、このステップＳ３０８の似顔絵データ作成処理の詳細な処理内容が示されており、この似顔絵データ作成処理においては、まず、タッチパネル３２に似顔絵データ作成画面１１０を表示する（ステップＳ４０２）。
【００５１】
この似顔絵データ作成画面１１０には、似顔絵データを構成する複数種類のパーツが表示されるパーツ表示部１１０ａと、パーツ表示部１１０ａにおいて選択されたパーツの形状を複数パターン表示するパーツ形状表示部１１０ｂと、パーツ形状表示部１１０ｂにおいて選択されたパーツ形状を表示する似顔絵データ表示部１１０ｃとが設けられている（図５（ｂ）を参照する。）。
【００５２】
具体的には、例えば、パーツ表示部１１０ａには、似顔絵データを構成する「輪郭」、「目」、「口」、「髪型」、「ボディ」の５種類のパーツが表示される。
【００５３】
また、パーツ形状表示部１１０ｂには、パーツ表示部１１０ａにおいて選択されたパーツについて、当該パーツの形状として登録されたパーツデータが複数表示される（図６（ａ）を参照する。）。
【００５４】
即ち、パーツ形状表示部１１０ｂには、各パーツのパーツデータが９種類表示され、作業者は、パーツデータなしを含め１０種類のうちから所望のパーツデータを選択する
【００５５】
なお、このパーツデータは、シート材がカッティングされることを考慮した形状となっている。
【００５６】
つまり、パーツ形状表示部１１０ｂに表示されるパーツデータは、線幅、形状の複雑さなどが、シート材をカッティングするのに不適な形状とならないものとなっている。
【００５７】
具体的には、シート材をカッティングするのに不適な形状とは、例えば、カッティングプロッタ１２においてカッティングする際にカッターが何往復もしなければならないような線幅、カッティング不可能な細かい形状などである。
【００５８】
また、シート材をカッティングする際に不適な形状としては、カッティングした成果物を転写シートに転写し難い形状も含まれるものであり、例えば、カッティングした成果物を転写シートに転写する際に成果物の一部分が切断されてしまうような細い部分がある形状、カッティングした成果物を転写シートに転写する際に転写される部位が当該部位の周りの部位と比較して非常に小さい面積となる形状などである。
【００５９】
また、似顔絵データ作成画面１１０には、一つ前の状態に戻ることを指示する戻るボタン１１０ｄと、似顔絵データの作成が完了し、次の処理に進むことを指示する「次へ」ボタン１１０ｅが設けられている。
【００６０】
そして、似顔絵データ作成画面１１０を表示すると、パーツが選択されたか否かの判断を行う（ステップＳ４０４）。
【００６１】
即ち、このステップＳ４０４の判断処理では、パーツ表示部１１０ａに表示された５種類のパーツのうちのいずれかのパーツが選択されたか否かの判断を行うものである。
【００６２】
ステップＳ４０４の判断処理において、いずれのパーツも選択されていないと判断された場合には、「次へ」ボタン１１０ｅが選択されたか否かの判断を行う（ステップＳ４０６）。
【００６３】
このステップＳ４０６の判断処理において、「次へ」ボタン１１０ｅが選択されたと判断された場合には、この似顔絵データ作成処理を終了する。
【００６４】
また、ステップＳ４０６の判断処理において、「次へ」ボタン１１０ｅが選択されていないと判断された場合には、ステップＳ４０４の判断処理に戻り、ステップＳ４０４の判断処理以降の処理を行う。
【００６５】
即ち、似顔絵データ作成処理においては、似顔絵データ作成画面１１０が表示されると、パーツ表示部１１０ａにおいてパーツが選択される、あるいは、「次へ」ボタン１１０ｅが選択されるまで、絶えず、ステップＳ４０４の処理とステップＳ４０６の処理とが繰り返される。
【００６６】
一方、ステップＳ４０４の判断処理において、いずれかのパーツが選択されたと判断された場合には、当該選択されたパーツが「輪郭」、「目」、「口」、「髪型」、「ボディ」の５種類のうちのどのパーツであるのかを特定し、特定したパーツに関する複数パターンの形状をパーツ形状表示部１１０ｂに表示する（ステップＳ４０８）。
【００６７】
即ち、ステップＳ４０８の処理では、パーツ表示部１１０ａにおいて選択されたパーツを特定し、特定したパーツのパーツデータをパーツ形状表示部１１０ｂに表示するものである。
【００６８】
例えば、作業者がパーツ表示部１１０ａの「輪郭」を選択したとすると、ステップＳ４０６の処理では、パーツ表示部１１０ａにおいて「輪郭」が選択されたことを特定し、「輪郭」のパーツデータをパーツ形状表示部１１０ｂに表示することとなる（図６（ａ）を参照する。）。
【００６９】
パーツデータをパーツ形状表示部１１０ｂに表示すると、パーツ形状表示部１１０ｂに表示された形状が選択されたか否かの判断を行う（ステップＳ４１０）。
【００７０】
即ち、ステップＳ４１０の判断処理においては、パーツ形状表示部１１０ｂに表示されている形状たるパーツデータが選択されたか否かの判断を行うものである。
【００７１】
このステップＳ４１０の判断処理において、形状が選択されていない、つまり、パーツデータが選択されていないと判断された場合には、「次へ」ボタン１１０ｅが選択されたか否かの判断を行う（ステップＳ４１２）。
【００７２】
ステップＳ４１２の判断処理において、「次へ」ボタン１１０ｅが選択されたと判断された場合には、この似顔絵データ作成処理を終了する。
【００７３】
また、ステップＳ４１２の判断処理において、「次へ」ボタン１１０ｅが選択されていないと判断された場合には、戻るボタン１１０ｄが選択されたか否かの判断を行う（ステップＳ４１４）。
【００７４】
ステップＳ４１４の判断処理において、戻るボタン１１０ｄが選択されていないと判断された場合には、ステップＳ４１０の判断処理に戻り、ステップＳ４１０の判断処理以降の処理を行う。
【００７５】
また、ステップＳ４１４の判断処理において、戻るボタン１１０ｄが選択されたと判断された場合には、ステップＳ４０８の処理においてパーツ形状表示部１１０ｂに表示した形状を消去して（ステップＳ４１６）、ステップＳ４０４の判断処理に戻り、ステップＳ４０４の判断処理以降の処理を行う。
【００７６】
即ち、ステップＳ４０８の処理でパーツデータをパーツ形状表示部１１０ｄに表示した後には、パーツ形状表示部１１０ｂでパーツデータが選択される、「次へ」ボタン１１０ｅが選択される、あるいは、戻るボタン１１０ｄが選択されるまで、絶えず、ステップＳ４１０〜４１４までの処理が繰り返される。
【００７７】
一方ステップＳ４１０の判断処理において、形状が選択された、つまり、パーツデータが選択されたと判断された場合には、選択されたパーツデータを特定し、特定したパーツデータを似顔絵データ表示部１１０ｃに表示する（ステップＳ４１８）。
【００７８】
即ち、ステップＳ４１８の処理では、パーツ形状表示部１１０ｂにおいて選択された形状たるパーツデータを特定し、特定したパーツデータを似顔絵データ表示部１１０ｃに表示するものであるが、このとき、既に、似顔絵データ表示部１１０ｃに別のバーツのパーツデータが表示されている場合には、当該表示されているパーツデータとステップＳ４１８の処理において表示するパーツデータとを合成して表示するものである。
【００７９】
なお、各パーツのパーツデータは、各パーツ毎に配置される場所が決められているため、既に表示されているパーツデータと、これから表示するパーツデータとを合成する処理は、具体的には、この決められた位置にパーツデータを配置することである。
【００８０】
また、既に似顔絵データ表示部１１０ｃに表示されているパーツデータが、ステップＳ４１８の処理において表示するパーツデータと同じパーツである場合には、これらのパーツデータは合成されることなく、既に表示されているパーツデータを削除し、これから表示するパーツデータを似顔絵データ表示部１１０ｃに表示する。
【００８１】
パーツデータを似顔絵データ表示部１１０ｃに表示すると、次に、パーツ表示部１１０ａに表示されたパーツが選択されたか否かの判断を行う（ステップＳ４２０）。
【００８２】
即ち、このステップＳ４２０の判断処理では、ステップＳ４０４の判断処理と同様にして、パーツ表示部１１０ａに表示された５種類のパーツのうちのいずれかのパーツが選択されたか否かの判断を行うものである。なお、このとき選択されるパーツは、既に似顔絵データ表示部１１０ｃにパーツデータが表示されているパーツでもよい。
【００８３】
ステップＳ４２０の判断処理において、いずれかのパーツが選択されたと判断された場合には、ステップＳ４０８の処理に進み、ステップＳ４０８の処理以降の処理を行う。
【００８４】
また、ステップＳ４２０の判断処理において、いずれのパーツも選択されていないと判断された場合には、戻るボタン１１０ｄが選択されたか否かの判断を行う（ステップＳ４２２）。
【００８５】
ステップＳ４２２の判断処理において、戻るボタン１１０ｄが選択されたと判断された場合に、似顔絵データ表示部１１０ｃに表示されたパーツデータのうち最も新しいパーツデータを削除し（ステップＳ４２４）、再度戻るボタン１１０ｄが選択されたか否かの判断を行う（ステップＳ４２６）。
【００８６】
ステップＳ４２６の判断処理において、再度戻るボタン１１０ｄが選択されたと判断された場合には、ステップＳ４２４の処理に戻り、ステップＳ４２４の処理以降の処理を行う。
【００８７】
また、ステップＳ４２６の判断処理において戻るボタン１１０ｄが選択されていないと判断された場合には、「次へ」ボタン１１０ｅが選択されたか否かの判断を行う（ステップＳ４２８）。
【００８８】
ステップＳ４２８の判断処理において、「次へ」ボタン１１０ｅが選択されたと判断された場合には、この似顔絵データ作成処理を終了する。
【００８９】
また、ステップＳ４２８の判断処理において、「次へ」ボタン１１０ｅが選択されていないと判断された場合には、ステップＳ４０４の判断処理に戻り、ステップＳ４０４の判断処理以降の処理を行う。
【００９０】
つまり、ステップＳ４２２の判断処理で戻るボタン１１０ｄが選択されると、「次へ」ボタン１１０ｅが選択されるか、あるいは、パーツ表示部１１０ａのパーツが選択されるまで、絶えず、ステップＳ４２４〜４２８の処理が繰り返される。
【００９１】
一方、ステップＳ４２２の判断処理において、戻るボタン１１０ｄが選択されていないと判断された場合には、「次へ」ボタン１１０ｅが選択されたか否かの判断を行う（ステップＳ４３０）。
【００９２】
ステップＳ４３０の判断処理において、「次へ」ボタン１１０ｅが選択されていないと判断された場合には、ステップＳ４２０の判断処理に戻り、ステップＳ４２０の判断処理以降の処理を行う。
【００９３】
また、ステップＳ４３０の判断処理において、「次へ」ボタン１１０ｅが選択されたと判断された場合には、この似顔絵データ作成処理を終了する。
【００９４】
つまり、ステップＳ４１８の処理において似顔絵データ表示部１１０ｃにパーツデータが表示されると、パーツ表示部１１０ａにおいてパーツが選択される、戻るボタン１１０ｄが選択される、あるいは、「次へ」ボタン１１０ｅが選択されるまで、絶えず、ステップＳ４２０、ステップＳ４２２およびステップＳ４３０の処理が繰り返される。
【００９５】
ステップＳ３０８の処理による似顔絵データ作成処理により似顔絵データが作成されると、次に、作成した似顔絵データを保存するか否かの選択画面を表示し（ステップＳ３１０）、作成した似顔絵データを保存するか否かの判断を行う（ステップＳ３１２）。
【００９６】
即ち、ステップＳ３１０の処理において表示した選択画面においては、作成した似顔絵データを「保存する」または「保存しない」の選択肢が表示され、ステップＳ３１２の処理では、作成した似顔絵データを「保存する」と選択されたか否かを判断するものである。
【００９７】
ステップＳ３１２の処理において「保存する」が選択されたと判断された場合には、作成した似顔絵データを記憶部１６に記憶し（ステップＳ３１４）、その後、ステップＳ３１６の処理に進み、作成した似顔絵データをカッティングプロッタ１４に出力する。
【００９８】
なお、このステップＳ３１４の処理においては、似顔絵データがカッティングデータとしてだけでなく、画像データとしても保存される。こうして保存された画像データは、ＳＮＳ（ｓｏｃｉａｌ  ｎｅｔｗｏｒｋｉｎｇ  ｓｅｒｖｉｃｅ）や名刺などのプロフィールアイコンとして使用することが可能となる。
【００９９】
また、こうした似顔絵データのカッティングデータからの画像データの変換については、例えば、ベクターデータで表される似顔絵データ（カッティングデータ）を、ラスタライズしてラスタデータで表される画像データ（ビットマップ）に変換する。
【０１００】
一方、ステップＳ３１２の処理において「保存しない」が選択されたと判断された場合には、ステップＳ３１６の処理に進み、作成した似顔絵データをカッティングプロッタ１４に出力する。
【０１０１】
携帯端末２０から作成した似顔絵データがカッティングプロッタ１４に出力されると、カッティングプロッタ１４は、予めカッティングプロッタ１４にセットされていたシート材に対して、当該似顔絵データに基づいてカッティングを行う。
【０１０２】
そして、カッティングプロッタ１４において、似顔絵データに基づくカッティングが終了すると、作業者はカッティングプロッタ１４からシート材を取り出し、カッティングがなされたシート材の表面に転写シートを貼り付けて、カッティングしたシート材を転写シートに転写する。
【０１０３】
こうしてカッティングされたシート材が貼り付けられた転写シートを所望の場所に貼り付け、転写シートのみを剥がし、人物の顔を表す似顔絵を所望の場所に形成する。
【０１０４】
ステップＳ３１６の処理の後に、さらに、カッティングデータを作成するか否かの選択画面を表示し（ステップＳ３１８）、カッティングデータを作成する否かの判断を行う（ステップＳ３２０）。
【０１０５】
即ち、ステップＳ３１８の処理において表示した選択画面においては、カッティングデータを「作成する」または「作成しない」の選択肢が表示され、ステップＳ３２０の処理では、カッティングデータを「作成する」が選択されたか否かを判断するものである。
【０１０６】
ステップＳ３２０の判断において「作成する」が選択されたと判断された場合には、ステップＳ３０２の処理に進み、ステップＳ３０２以降の処理を行って、カッティングデータの作成を行う。
【０１０７】
また、ステップＳ３２０の処理において「作成しない」が選択されたと判断された場合には、このカッティングデータ作成処理を終了する。
【０１０８】
次に、具体的に、似顔絵データ作成処理によって、「輪郭」、「目」、「口」、「髪型」、「ボディ」の５つのパーツから似顔絵データを作成する場合について説明することとする。
【０１０９】
まず、似顔絵データ作成処理を起動して、似顔絵データ作成画面を表示する（ステップＳ４０２に相当する。図５（ｂ）を参照する。）。
【０１１０】
その後、作業者は、パーツ表示部１１０ａのうちの「輪郭」を選択し（ステップＳ４０４の処理に相当する。）、パーツ形状表示部１１０ｂに輪郭のパーツデータを表示する（ステップＳ４０６の処理に相当する。図６（ａ）を参照する。）。
【０１１１】
そして、パーツ形状表示部１１０ｂに表示されたパーツデータの中から、似顔絵データの輪郭の形状たる輪郭のパーツデータを選択して（ステップＳ４１０の処理に相当する。）、似顔絵データ表示部１１０ｃに当該輪郭のパーツデータを表示する（ステップＳ４１８の処理に相当する。図６（ｂ）を参照する。）。
【０１１２】
具体的には、作業者が、パーツ表示部１１０ａの輪郭ボタン１１０ａ−１を選択して、パーツ形状表示部１１０ｂに輪郭データ１〜１０までの輪郭のパーツデータを表示する。なお、図６（ａ）においては、パーツ形状表示部１１０ｂの左側から右側に向かって輪郭データ１、輪郭データ２、・・・、輪郭データ１０までが表示されている。
【０１１３】
そして、パーツ形状表示部１１０ｂに表示された輪郭のパーツデータから輪郭データ７を選択し、図６（ｂ）に示すように、似顔絵データ表示部１１０ｃに輪郭データ７のパーツデータを表示することとなる。
【０１１４】
なお、似顔絵データ表示部１１０ｃに輪郭のパーツデータを表示したものの、表示したパーツデータを修正したい場合には、戻るボタン１１０ｄを選択すると（ステップＳ４２２の処理に相当する。）、似顔絵データ表示部１１０ｃに表示されていた輪郭のパーツデータは削除され（ステップＳ４２４の処理に相当する。）、再度、パーツ形状表示部１１０ｂに表示されたパーツデータから輪郭のパーツデータを選択するようにする。
【０１１５】
また、輪郭のパーツデータとして「なし（輪郭データ１）」を選択すると、似顔絵データ表示部１１０ｃには、輪郭のパーツデータが表示されない。
【０１１６】
次に、作業者は、パーツ表示部１１０ａのうちの「目」を選択し（ステップＳ４２０の処理に相当する。）、パーツ形状表示部１１０ｂに目のパーツデータを表示する（ステップＳ４０８の処理に相当する。図７（ａ）を参照する。）。
【０１１７】
そして、パーツ形状表示部１１０ｂに表示されたパーツデータの中から、似顔絵データの目の形状たる目のパーツデータを選択して（ステップＳ４１０の処理に相当する。）、似顔絵データ表示部１１０ｃに当該目のパーツデータを表示する（ステップＳ４１８の処理に相当する。図７（ｂ）を参照する。）。
【０１１８】
具体的には、作業者が、パーツ表示部１１０ａの目ボタン１１０ａ−２を選択して、パーツ形状表示部１１０ｂに目データ１〜１０までの目のパーツデータを表示する。なお、図７（ａ）においては、パーツ形状表示部１１０ｂの左側から右側に向かって目データ１、目データ２、・・・、目データ１０までが表示されている。
【０１１９】
そして、パーツ形状表示部１１０ｂに表示された目のパーツデータから目データ４を選択し、図７（ｂ）に示すように、輪郭のパーツデータが表示されている似顔絵データ表示部１１０ｃに目データ４のパーツデータを表示することとなる。
【０１２０】
なお、目のパーツデータについても、表示したパーツデータを修正したい場合には、上記した輪郭のパーツデータのときと同様に、戻るボタン１１０ｄを選択して（ステップＳ４２２の処理に相当する。）、似顔絵データ表示部１１０ｃに表示された目のパーツデータを削除した後に（ステップＳ４２４の処理に相当する。）、再度、パーツ形状表示部１１０ｂに表示されたパーツデータを選択して目のパーツデータを選択するようにする。
【０１２１】
さらに、輪郭および目のパーツデータが似顔絵データ表示部１１０ｃに表示された状態で、輪郭のパーツデータを修正したい場合には、再度、パーツ表示部１１０ａにおいて修正したいパーツを選択し（ステップＳ４２０の処理に相当する。）、同様の手順により輪郭のパーツデータを選択して似顔絵データ表示部１１０ｃに所望のパーツデータを表示するようにする（ステップＳ４０８、４１０、４１８の処理に相当する。）。
【０１２２】
さらにまた、輪郭および目のパーツデータを両方とも削除したい場合には、まず、戻るボタン１１０ｄを選択して（ステップＳ４２２の処理に相当する。）、似顔絵データ表示部１１０ｃに表示された目のパーツデータを削除する（ステップＳ４２４の処理に相当する。）。その後、再度、戻るボタン１１０ｄを選択して（ステップＳ４２６の処理に相当する。）、似顔絵データ表示部１１０ｃに表示された輪郭のパーツデータを削除するようにする（ステップＳ４２４の処理に相当する。）。
【０１２３】
また、目のパーツデータとして「なし（目データ１）」を選択すると、似顔絵データ表示部１１０ｃには、目のパーツデータが表示されない。
【０１２４】
次に、作業者は、パーツ表示部１１０ａのうちの「口」を選択し（ステップＳ４２０の処理に相当する。パーツ形状表示部１１０ｂに口のパーツデータを表示する（ステップＳ４０８の処理に相当する。図８（ａ）を参照する。）。
【０１２５】
そして、パーツ形状表示部１１０ｂに表示されたパーツデータの中から、似顔絵データの口の形状たる口のパーツデータを選択して（ステップＳ４１０の処理に相当する。）、似顔絵データ表示部１１０ｃに当該口のパーツデータを表示する（ステップＳ４１８の処理に相当する。図８（ｂ）を参照する。）。
【０１２６】
具体的には、作業者が、パーツ表示部１１０ａの口ボタン１１０ａ−３を選択して、パーツ形状表示部１１０ｂに口データ１〜１０までの口のパーツデータを表示する。なお、図８（ａ）においては、パーツ形状表示部１１０ｂの左側から右側に向かって口データ１、口データ２、・・・、口データ１０までが表示されている。
【０１２７】
そして、パーツ形状表示部１１０ｂに表示された口のパーツデータから口データ２を選択し、図８（ｂ）に示すように、輪郭および目のパーツデータが表示されている似顔絵データ表示部１１０ｃに口データ２のパーツデータを表示することとなる。
【０１２８】
なお、口のパーツデータについても、表示したパーツデータを修正したい場合には、上記した輪郭および目のパーツデータのときと同様に、戻るボタン１１０ｄを選択して（ステップＳ４２２の処理に相当する。）、似顔絵データ表示部１１０ｃに表示された口のパーツデータを削除した後に（ステップＳ４２４の処理に相当する。）、再度、パーツ形状表示部１１０ｂに表示されたパーツデータを選択して口のパーツデータを選択するようにする。
【０１２９】
さらに、輪郭、目および口のパーツデータが似顔絵データ表示部１１０ｃに表示された状態で、輪郭あるいは目のパーツデータを修正したい場合には、再度、パーツ表示部１１０ａにおいて修正したいパーツを選択し（ステップＳ４２０の処理に相当する。）、同様の手順によりパーツデータを選択して、似顔絵データ表示部１１０ｃに所望のパーツデータを表示するようにする（ステップＳ４０８、４１０、４１８の処理に相当する。）。
【０１３０】
さらにまた、輪郭、目および口のパーツデータをすべて削除したい場合には、まず、戻るボタン１１０ｄを選択して（ステップＳ４２２の処理に相当する。）、似顔絵データ表示部１１０ｃに表示された口のパーツデータを削除する（ステップＳ４２４の処理に相当する。）。その後、再度、戻るボタン１１０ｄを選択し（ステップＳ４２６の処理に相当する。）、似顔絵データ表示部１１０ｃに表示された目のパーツデータを削除した後に（ステップＳ４２４の処理に相当する。）、再び戻るボタン１１０ｄを選択して（ステップＳ４２６の処理に相当する。）、似顔絵データ表示部１１０ｃに表示された輪郭のパーツデータを削除する（ステップＳ４２４の処理に相当する。）。
【０１３１】
また、口のパーツデータとして「なし（口データ１）」を選択すると、似顔絵データ表示部１１０ｃには、口のパーツデータが表示されない。
【０１３２】
次に、作業者は、パーツ表示部１１０ａのうちの「髪型」を選択し（ステップＳ４２０の処理に相当する。）、パーツ形状表示部１１０ｂに髪型のパーツデータを表示する（ステップＳ４０８の処理に相当する。図９（ａ）を参照する。）。
【０１３３】
そして、パーツ形状表示部１１０ｂに表示されたパーツデータの中から、似顔絵データの髪型の形状たる髪型のパーツデータを選択して（ステップＳ４１０の処理に相当する。）、似顔絵データ表示部１１０ｃに当該髪型のパーツデータを表示する（ステップＳ４１８の処理に相当する。図９（ｂ）を参照する。）。
【０１３４】
具体的には、作業者が、パーツ表示部１１０ａの髪型ボタン１１０ａ−４を選択して、パーツ形状表示部１１０ｂに髪型データ１〜１０までの髪型のパーツデータを表示する。なお、図９（ａ）においては、パーツ形状表示部１１０ｂの左側から右側に向かって髪型データ１、髪型データ２、・・・、髪型データ１０までが表示されている。
【０１３５】
そして、パーツ形状表示部１１０ｂに表示された髪型のパーツデータから髪型データ５を選択し、図９（ｂ）に示すように、輪郭、目および口のパーツデータが表示されている似顔絵データ表示部１１０ｃの髪型データ５のパーツデータを表示することとなる。
【０１３６】
なお、髪型のパーツデータについても、表示したパーツデータを修正したい場合には、上記した輪郭、目、口のパーツデータのときと同様に、戻るボタン１１０ｄを選択して（ステップＳ４２２の処理に相当する。）、似顔絵データ表示部１１０ｃに表示された髪型のパーツデータを削除した後に、再度、パーツ形状表示部１１０ｂに表示されたパーツデータを選択して髪型のパーツデータを選択するようにする。
【０１３７】
さらに、輪郭、目、口、および髪型が似顔絵データ表示部１１０ｃに表示された表示された状態で、輪郭、目あるいは口のパーツデータを修正したい場合には、再度、パーツ表示部１１０ａにおいて修正したいパーツを選択し（ステップＳ４２０の処理に相当する。）、同様の手順によりパーツデータを選択して、似顔絵データ表示部１１０ｃの所望のパーツデータを表示するようにする（ステップＳ４０８、４１０、４１８の処理に相当する。）
【０１３８】
さらにまた、輪郭、目、口および髪型のパーツデータをすべて削除したい場合には、まず、戻るボタン１１０ｄを選択して（ステップＳ４２２の処理に相当する。）、似顔絵データ表示部１１０ｃに表示された髪型のパーツデータを削除し（ステップＳ４２４の処理に相当する。）、その後、再度、戻るボタン１１０ｄを選択し（ステップＳ４２６の処理に相当する。）、似顔絵データ表示部１１０ｃに表示された口のパーツデータを削除する。次に、再び戻るボタン１１０ｄを選択し（ステップＳ４２６の処理に相当する。）、似顔絵データ表示部１１０ｃに表示された目のパーツデータを削除した後に（ステップＳ４２４の処理に相当する。）、再度、戻るボタン１１０ｄを選択して（ステップＳ４２６の処理に相当する。）、似顔絵データ表示部１１０ｃに表示された輪郭のパーツデータを削除する（ステップＳ４２４の処理に相当する。）。
【０１３９】
また、髪型のパーツデータとして「なし（髪型データ１）」を選択すると、似顔絵データ表示部１１０ｃには、髪型のパーツデータが表示されない。
【０１４０】
次に、作業者は、パーツデータ表示部１１０ａのうちの「ボディ」を選択し（ステップＳ４２０の処理に相当する。）、パーツ形状表示部１１０ｂにボディのハーツデータを表示する（ステップＳ４０８の処理に相当する。図１０（ａ）を参照する。）。
【０１４１】
そして、パーツ形状表示部１１０ｂに表示されたパーツデータの中から、似顔絵データのボディの形状たるボディのパーツデータを選択して（ステップＳ４１０の処理に相当する。）、似顔絵データ表示部１１０ｃに当該ボディのパーツデータを表示する（ステップＳ４１８の処理に相当する。図１０（ｂ）を参照する。）。
【０１４２】
具体的には、作業者が、パーツ表示部１１０ａのボディボタン１１０ａ−５を選択して、パーツ形状表示部１１０ｂにボディデータ１〜１０までのボディのパーツデータを表示する。なお、図１０（ａ）においては、パーツ形状表示部１１０ｂの左側から右側に向かってボディデータ１、ボディデータ２、・・・、ボディデータ１０までが表示されている。
【０１４３】
そして、パーツ形状表示部１１０ｂに表示されたボディのパーツデータからボディデータ５を選択し、図１０（ｂ）に示すように、輪郭、目、口および髪型が表示されている似顔絵データ表示部１１０ｃにボディデータ５のパーツデータを表示することとなる。
【０１４４】
なお、ボディのパーツデータについても、表示したボディのパーツデータを修正したい場合には、上記した輪郭、目、口および髪型のパーツデータのときと同様に、戻るボタン１１０ｄを選択して（ステップＳ４２２の処理に相当する。）、似顔絵データ表示部１１０ｃに表示されたボディのパーツデータを削除した後に（ステップＳ４２４の処理に相当する。）、再度、パーツ形状表示部１１０ｂに表示されたパーツデータを選択してボディのパーツデータを選択するようにする。
【０１４５】
さらに、輪郭、目、口、髪型およびボディが似顔絵データ表示部１１０ｃに表示された氷体で、輪郭、目、口あるいは髪型のパーツデータを修正した場合には、再度、パーツ表示部１１０ａにおいて修正したいパーツを選択し（ステップＳ４２０の処理に相当する。）、同様の手順によりパーツデータを選択して、似顔絵データ表示部１１０ｃに所望のパーツデータを表示するようにする（ステップＳ４０８、４１０、４１８の処理に相当する。）。
【０１４６】
さらにまた、輪郭、目、口、髪型およびボディのパーツデータをすべて削除したい場合には、まず、戻るボタン１１０ｄを選択し（ステップＳ４２２の処理に相当する。似顔絵データ表示部１１０ｃに表示されたボディのパーツデータを削除する。そして、再び戻るボタン１１０ｄを選択して（ステップＳ４２６の処理に相当する。）、似顔絵データ表示部１１０ｃに表示された髪型のパーツデータを削除し（ステップＳ４２４の処理に相当する。）、その後、再度、戻るボタン１１０ｄを選択し（ステップＳ４２６の処理に相当する。）、似顔絵データ表示部１１０ｃに表示された口のパーツデータを削除する。次に、再び戻るボタン１１０ｄを選択し（ステップＳ４２６の処理に相当する。）、似顔絵データ表示部１１０ｃに表示された目のパーツデータを削除した後に（ステップＳ４２４の処理に相当する。）、再度、戻るボタン１１０ｄを選択して（ステップＳ４２６の処理に相当する。）、似顔絵データ表示部１１０ｃに表示された輪郭のパーツデータを削除する（ステップＳ４２４の処理に相当する。）。
【０１４７】
また、ボディのパーツデータとして「なし（ボディデータ１）」を選択すると、似顔絵データ表示部１１０ｃには、ボディのパーツデータが表示されない。
【０１４８】
なお、上記した説明において、パーツ形状表示部１１０ｂにパーツデータを表示した後に（ステップＳ４０８の処理に相当する。）、パーツ形状表示部１１０ｂに表示されたパーツデータを選択せず、戻るボタン１１０ｄが選択されると（ステップＳ４１４の処理に相当する。）、パーツ形状表示部１１０ｂに表示されたパーツデータが削除されることとなる（ステップＳ４１６の処理に相当する。）。
【０１４９】
具体的には、図８（ａ）に示すように、パーツ形状表示部１１０ｂの左側から右側に向かって口データ１、口データ２、・・・、口データ１０までが表示されている状態で、戻るボタン１１０ｄが選択されると、パーツ形状表示部１１０ｂに表示された口データ１、口データ２、・・・、口データ１０はすべて削除されることとなる。
【０１５０】
また、似顔絵データ作成処理においては、似顔絵データ作成画面を表示した直後、パーツ形状表示部１１０ｂにパーツデータを表示した直後、似顔絵データ表示部１１０ｃにパーツデータを表示した直後、似顔絵データ表示部１１０ｃに表示されたパーツデータを削除した直後などに、「次へ」ボタン１１０ｅが選択されると（ステップＳ４０６、４１４、４３０、４２８の処理に相当する。）、似顔絵データ作成処理を終了することができる。
【０１５１】
こうして、似顔絵データ表示部１１０ｃにおいて所望のパーツデータを備えた似顔絵データが表示されると、作業者は、「次に」ボタン１１０を選択して似顔絵データ作成処理を終了する。
【０１５２】
以上において説明したように、本発明によるカッティング装置１０は、携帯端末２０において作成した似顔絵データをカッティングプロッタ１４に送信し、カッティングプロッタ１４において当該似顔絵データに基づいてカッティングを行うようにした。
【０１５３】
また、こうした似顔絵データを作成する際には、似顔絵データを構成するパーツを複数用意し、各パーツについてそのパーツの形状を作業者が選択して決定するようにした。このとき、パーツの形状は、シート材をカッティングすることを考慮した形状となっている。
【０１５４】
即ち、携帯端末２０において、タッチパネル３２に似顔絵データ作成画面が表示され、この似顔絵データ作成画面において、似顔絵データを構成するパーツを選択するとともに、選択したパーツの形状を示すパーツデータを表示し、表示されたパーツデータを選択するようにした。
【０１５５】
このように、本発明によるカッティング装置１０においては、作業者がシート材をカッティングすることを考慮することなく似顔絵データを作成することが可能である。
【０１５６】
このため、本発明によるカッティング装置１０においては、携帯端末２０において、作業者がシート材をカッティングすることを考慮することなく似顔絵データを作成することができるようになり、作業に習熟していない作業者であっても容易に似顔絵データを作成することができるようになる。
【０１５７】
また、本発明によるカッティング装置１０においては、携帯端末２０において上記したようにして似顔絵データを作成しているため、パーソナルコンピューターなどにより、シート材をカッティングすることを考慮しながら似顔絵データを作成する従来の技術と比較して、より手軽に似顔絵などのカッティングを行うことができる。
【０１５８】
さらに、本発明によるカッティング装置１０においては、パーツデータを直感的に作業者が選択し、組み合わせるだけで、数十万通りの似顔絵が作成可能であり、また、リアルタイムに似顔絵データを確認することができるため、修正が容易である。
【０１５９】
なお、上記した実施の形態は、以下の（１）乃至（５）に示すように変形するようにしてもよい。
【０１６０】
（１）上記した実施の形態においては、似顔絵データの作成の際には、似顔絵データ作成処理を実行するようにしたが、これに限られるものではないことは勿論である。
【０１６１】
つまり、似顔絵データを作成する際には、似顔絵データ作成処理を起動することなく、単に、似顔絵データ作成画面を表示し、作業者が似顔絵データ作成画面を操作して、似顔絵データ表示部１１０ｃに似顔絵データを表示し、当該似顔絵データを参照しながら、適宜に修正して似顔絵データを作成するようにしてもよい。
【０１６２】
即ち、似顔絵データ作成画面において、作業者は、パーツ表示部１１０ａの任意のパーツを選択し、選択したパーツの形状をパーツ形状表示部１１０ｂに表示させる。次に、パーツ形状表示部１１０ｂに表示させたパーツの形状の中から所望の形状を選択して、選択したパーツの形状たるパーツデータを似顔絵データ表示部１１０ｃに表示させる。そして、こうした操作を作業者が各パーツに対して行って、似顔絵データを作成する。
【０１６３】
このとき、戻るボタン１１０ｄを選択すると、直線の表示処理（つまり、似顔絵データ表示部１１０ｃにおけるパーツデータの表示、パーツ形状表示部１１０ｂにおけるパーツデータの表示などである。）を削除するようにする。
【０１６４】
これにより、プログラムを簡素化することができ、携帯端末などにおける処理速度の向上を図ることができるようになる。
【０１６５】
（２）上記した実施の形態においては、パーツを「輪郭」、「目」、「口」、「髪型」、「ボディ」の５種類としたが、これに限られるものではないことは勿論であり、上記５種類のパーツのうちの４種類以下としてもよいし、例えば、「鼻」などの新たな項目を追加して、パーツを６種類以上とするようにしてもよい。
【０１６６】
（３）上記した実施の形態においては、パーツ形状表示部１１０ｂに表示するパーツデータを１０種類としたが、９種類以下としてもよいし、１１種類以上としてもよい。
【０１６７】
なお、１１種類以上など、多くのパーツデータを表示する場合には、作業者が指によるパニングなどによりパーツ形状表示部１１０ｂの表示をスクロールするようにしてもよい。
【０１６８】
（４）上記した実施の形態においては、特に記載しなかったが、ステップＳ３１４における似顔絵データを保存する前に、タッチパネル３２上に指２本を触れた状態で、当該２本の指の間隔を広げる操作や当該２本の指の間隔を縮める操作を行って、似顔絵データを拡大あるいは縮小するようにしてもよい。
【０１６９】
このとき、似顔絵データの最小寸法値を設定しておく。この最小寸法値は、シート材をカッティングすることが可能な最小の寸法である。この最小寸法値は、例えば、「１０ｍｍ」と設定すると、似顔絵データにおける最小の一辺の長さ（具体的には、図１０（ｂ）に示される似顔絵データでは、幅方向の長さである。）が１０ｍｍより小さくすることができなくなる。
【０１７０】
なお、こうした似顔絵データにおける最小の一辺の値については、実験的に求めるようにすればよく、このとき、カッティングプロッタ１４におけるカッティングの正確さやカッティングによる成果物の転写シートへの転写の行い易さなどを評価する。
【０１７１】
（５）上記した実施の形態ならびに上記した（１）乃至（４）に示す変形例は、適宜に組み合わせるようにしてもよい。
【産業上の利用可能性】
【０１７２】
本発明は、カッティングして似顔絵を作成するためのカッティングデータを作成する際に用いて好適である。
【符号の説明】
【０１７３】
１０  カッティング装置、１２  データ受信部、１４  カッティングプロッタ、２０  携帯端末、２２  ＣＰＵ、２４  バス、２６  記憶部、２８  出力部、３０  入力部、３２  タッチパネル、１１０  似顔絵データ作成画面、１１０ａ  パーツ表示部、１１０ｂ  パーツ形状表示部、１１０ｃ  似顔絵データ表示部
【図１】
2014083599.tif 000003
【図２】
2014083599.tif 000004
【図３】
2014083599.tif 000005
【図４】
2014083599.tif 000006
【図５】
2014083599.tif 000007
【図６】
2014083599.tif 000008
【図７】
2014083599.tif 000009
【図８】
2014083599.tif 000010
【図９】
2014083599.tif 000011
【図１０】
2014083599.tif 000012